(57)【要約】【課題】血圧計用カフの装着時における血圧計用カフの回転を防止可能とする血圧計用カフを提供する。【解決手段】圧迫用流体袋１０６が設けられる領域の腕帯１０１の内面側の縁部に複数の突起状部材２０４が配列されている。これにより、血圧計用カフの装着時における血圧計用カフの回転を防止することが可能になる。その結果、血圧の測定に際して、圧迫用流体袋を所定の位置に容易に位置決めすることが可能になり、血圧測定精度を向上させることが可能になる。【選択図】図８
2006130331.tif 000002
【特許請求の範囲】
【請求項１】
動脈を圧迫するため、所定量の流体が供給される圧迫用流体袋と、前記圧迫用流体袋を生体に装着するための装着手段とを備える、血圧計用カフであって、
前記装着手段の前記圧迫用流体袋が設けられる領域の内面側の縁部には、当該血圧計用カフの装着時における当該血圧計用カフの回転する方向に対して生体との摩擦力を大きくする滑止め手段が設けられる、血圧計用カフ。
【請求項２】
前記滑止め手段は、前記装着手段の内面側に配列される、複数の突起状部材を有する、請求項１に記載の血圧計用カフ。
【発明の詳細な説明】
【技術分野】
【０００１】
この発明は、生体に装着して血圧を測定する血圧計に使用する血圧計用カフに関し、より特定的には、血圧計用カフの装着時における血圧計用カフの回転を防止可能とする血圧計用カフの構造に関する。
【背景技術】
【０００２】
従来の上腕の動脈を圧迫して血圧を測定する上腕式血圧計に用いられる血圧計用カフ１００の概略構成について、図１２を参照して説明する。なお、図１２は血圧計用カフ１００の外観を示す斜視図である。この血圧計用カフ１００は、上腕に対して巻き付けるための帯状の腕帯１０１を備える。腕帯１０１の所定位置には、動脈を圧迫するため、所定量の流体が供給される圧迫用流体袋（図示省略）が設けられており、この圧迫用流体袋に空気を送り込むためのエアーチューブ１０２が設けられている。
【０００３】
腕帯１０１の一方端には、リング１０３が設けられ、上腕への装着時には図示するように、腕帯１０１の他方端側１０４がこのリング１０３を通過するように巻きつけられる。腕帯１０１の他方端側１０４には、面ファスナ１０５が設けられ、血圧計用カフ１００を上腕に固定する際に用いられる。
【０００４】
上記構造からなる血圧計用カフ１００の上腕への装着手順について、図１３〜図１５を参照して説明する。なお、図１３〜図１５は装着手順を示す模式図である。まず、図１３を参照して、血圧計用カフ１００を図１２に示す状態にして、腕１を血圧計用カフ１００の輪に通す。次に、図１４を参照して、片方の手で血圧計用カフ１００の他方端側１０４を引張り、血圧計用カフ１００の輪を絞る。その後、図１５を参照して、血圧計用カフ１００の他方端側を面ファスナ１０５により固定する。以上により、血圧計用カフ１００の上腕への装着が完了する。
【特許文献１】実開平３−８０７０６号
【特許文献２】特開平１０−１６５３７８号
【発明の開示】
【発明が解決しようとする課題】
【０００５】
しかしながら、上記血圧計用カフ１００の上腕への装着時においては、図１４に示す血圧計用カフ１００の輪を絞る際に、血圧計用カフ１００全体が回転して、上腕の動脈の最適な位置に、圧迫用流体袋を位置決めすることができない問題がある。このような問題は、上記リングを用いた上腕測定式の血圧計用カフに限らず、腕の周囲に沿うカーラを内蔵した血圧計用カフや、手首測定式の血圧計用カフにおいても同様の問題が挙げられる。
【０００６】
したがって、この発明は上記問題点を解決するためにあり、血圧計用カフの装着時における血圧計用カフの回転を防止可能とする血圧計用カフを提供することを目的とする。
【課題を解決するための手段】
【０００７】
この発明に基いた血圧計用カフにおいては、動脈を圧迫するため、所定量の流体が供給される圧迫用流体袋と、上記圧迫用流体袋を生体に装着するための装着手段とを備える、血圧計用カフであって、上記装着手段の上記圧迫用流体袋が設けられる領域の内面側の縁部には、当該血圧計用カフの装着時における当該血圧計用カフの回転する方向に対して生体との摩擦力を大きくする滑止め手段が設けられる。
【０００８】
このように、血圧計用カフの内面の所定位置に滑止め手段を設けることにより、圧迫用流体袋に大きな影響を与えることなく、血圧計用カフの装着時における血圧計用カフの回転を防止することが可能になる。その結果、血圧の測定に際して、圧迫用流体袋を所定の位置に容易に位置決めすることが可能になり、血圧測定精度を向上させることが可能になる。
【０００９】
また、上記発明の好ましい形態としては、上記滑止め手段は、上記装着手段の内面側に配列される、複数の突起状部材を有している。この構成を採用することによっても、圧迫用流体袋の膨張に大きな影響を与えることなく、血圧計用カフの回転防止を実現させることが可能になる。
【発明の効果】
【００１０】
この発明に基いた血圧計用カフによれば、血圧計用カフの装着時における血圧計用カフの回転を防止することが可能になる。その結果、血圧の測定に際して、圧迫用流体袋を所定の位置に容易に位置決めすることが可能になり、血圧測定精度を向上させることが可能になる。
【発明を実施するための最良の形態】
【００１１】
以下、この発明に基づいた血圧計用カフの各実施の形態について、図を参照しながら説明する。
【００１２】
（実施の形態１）
図１および図２を参照して、実施の形態１における血圧計用カフ１００Ａの構造について説明する。なお、図１は本実施の形態における血圧計用カフ１００Ａの内側（生体に接する側）の構造を示す平面図であり、図２は図１中ＩＩ−ＩＩ線矢視断面図である。なお、図１２において説明した従来の血圧計用カフ１００と同一または相当部分については、同一の参照番号を付し、詳細な説明は省略する。
【００１３】
図１および図２を参照して、血圧計用カフ１００Ａは全体としては、上腕に対して正確に巻き付くことができるように略扇型の形状を有しており、装着手段としての腕帯１０１の一方端の片寄った位置に、圧迫用流体袋１０６が設けられている。腕帯１０１は、巻き付けたときに上腕に直接接する内布１０１ａと、外布１０１ｂとを有しており、内布１０１ａと外布１０１ｂとに挟まれた領域に、圧迫用流体袋１０６が設けられている。
【００１４】
本実施の形態における血圧計用カフ１００Ａにおける特徴的構造としては、圧迫用流体袋１０６が設けられていない領域に、腕帯１０１の長手方向に対して交差する方向に延びるように凸状部材２０１が設けられている点を挙げることができる。たとえば、この凸状部材２０１の内布１０１ａの表面からの突出高さは、１ｍｍ程度であり、また、凸状部材２０１の材質としては、シリコン等を用いることが可能である。
【００１５】
なお、凸状部材２０１の腕帯１０１への取付けは、接着剤による取付け、縫製による取付けが考えられ、圧迫用流体袋１０６の膨張および収縮に影響を与えないよう取付ける注意が必要である。
【００１６】
（作用・効果）
以上、本実施の形態における血圧計用カフ１００Ａによれば、圧迫用流体袋１０６が設けられていない領域に、腕帯１０１の長手方向に対して交差する方向に延びるように凸状部材２０１を設けることにより、血圧計用カフ１００Ａの装着時に、この凸状部材２０１が生体に接し易くなることから、血圧計用カフ１００Ａの回転する方向に対して生体との摩擦力が大きくなり、血圧計用カフ１００Ａの回転方向への滑りが阻止され、血圧計用カフ１００Ａの回転を防止することが可能になる。
【００１７】
（実施の形態２）
次に、図３および図４を参照して、実施の形態２における血圧計用カフ１００Ｂの構造について説明する。なお、図３は本実施の形態における血圧計用カフ１００Ｂの内側（生体に接する側）の構造を示す平面図であり、図４は図３中ＩＶ線矢視断面図である。なお、上記実施の形態１と同一または相当部分については、同一の参照番号を付して詳細な説明は省略し、本実施の形態における特徴的構造のみを以下説明する。
【００１８】
本実施の形態における血圧計用カフ１００Ｂにおける特徴的構造としては、図３および図４に示すように、腕帯１０１の内面の略全面に滑止めシート２０２が設けられている点にある。たとえば、滑止めシート２０２としては、厚さ０．２ｍｍ程度のシリコンシート等を用いることが可能である。
【００１９】
なお、滑止めシート２０２の腕帯１０１への取付けは、接着剤による取付け、縫製による取付けが考えられ、圧迫用流体袋１０６の膨張および収縮に影響を与えないよう取付ける注意が必要である。
【００２０】
（作用・効果）
以上、本実施の形態における血圧計用カフ１００Ｂによれば、腕帯１０１の内面の略全面に滑止めシート２０２を設けることにより、血圧計用カフ１００Ｂの装着時に、この滑止めシート２０２が生体に接することにより、血圧計用カフ１００Ｂの回転する方向に対して生体との摩擦力が大きくなり、血圧計用カフ１００Ｂの回転方向への滑りが阻止され、血圧計用カフ１００Ｂの回転を防止することが可能になる。
【００２１】
（実施の形態３）
次に、図５〜図７を参照して、実施の形態３における血圧計用カフ１００Ｃの構造について説明する。なお、図５は本実施の形態における血圧計用カフ１００Ｃの内側（生体に接する側）の構造を示す平面図であり、図６は図５中ＶＩ線矢視断面図であり、図７は後述する突起状部材２０３の拡大断面図である。なお、上記実施の形態１と同一または相当部分については、同一の参照番号を付して詳細な説明は省略し、本実施の形態における特徴的構造のみを以下説明する。
【００２２】
本実施の形態における血圧計用カフ１００Ｃにおける特徴的構造としては、図５および図６に示すように、圧迫用流体袋１０６が設けられる領域の腕帯１０１の内面側に複数の突起状部材２０３が配列されている点にある。たとえば、突起状部材２０３としては、大きさ２ｍｍ×２ｍｍ、高さ１ｍｍ程度のゴム、シリコン等を用いることが可能であり、突起状部材２０３の配置ピッチは、８ｍｍ程度が好ましい。なお、突起状部材２０３の腕帯１０１からの脱落を防止するため、図７の拡大断面図に示すように、突起状部材２０３を構成する部材を、内布１０１ａに染み込ませて固着させておくことが好ましい。
【００２３】
（作用・効果）
以上、本実施の形態における血圧計用カフ１００Ｃによれば、腕帯１０１の内面に突起状部材２０３を配列することにより、血圧計用カフ１００Ｃの装着時に、この突起状部材２０３が生体に接することにより、血圧計用カフ１００Ｃの回転する方向に対して生体との摩擦力が大きくなり、血圧計用カフ１００Ｃの回転方向への滑りが阻止され、血圧計用カフ１００Ｃの回転を防止することが可能になる。
【００２４】
（実施の形態４）
次に、図８を参照して、実施の形態４における血圧計用カフ１００Ｄの構造について説明する。なお、図８は本実施の形態における血圧計用カフ１００Ｄの内側（生体に接する側）の構造を示す平面図である。なお、上記実施の形態１と同一または相当部分については、同一の参照番号を付して詳細な説明は省略し、本実施の形態における特徴的構造のみを以下説明する。
【００２５】
本実施の形態における血圧計用カフ１００Ｄにおける特徴的構造としては、図８に示すように、圧迫用流体袋１０６が設けられる領域の腕帯１０１の内面側の縁部に複数の突起状部材２０４が配列されている点にある。たとえば、突起状部材２０４としては、大きさ４ｍｍ×４ｍｍ、高さ２ｍｍ程度のゴム、シリコン等用いることが可能であり、突起状部材２０４の配置ピッチは、１６ｍｍ程度が好ましい。なお、突起状部材２０４も、上記実施の形態３の場合と同様に、腕帯１０１からの脱落を防止するため、突起状部材２０４を構成する部材を、内布１０１ａに染み込ませて固着させておくことが好ましい。
【００２６】
（作用・効果）
以上、本実施の形態における血圧計用カフ１００Ｄによれば、腕帯１０１の内側の縁部に突起状部材２０４を配列することにより、血圧計用カフ１００Ｄの装着時に、この突起状部材２０４が生体に接することにより、血圧計用カフ１００Ｄの回転する方向に対して生体との摩擦力が大きくなり、血圧計用カフ１００Ｄの回転方向への滑りが阻止され、血圧計用カフ１００Ｄの回転を防止することが可能になる。
【００２７】
（実施の形態５）
次に、図９〜図１１を参照して、実施の形態５における血圧計用カフ１００Ｅの構造について説明する。なお、図９は本実施の形態における血圧計用カフ１００Ｅの内側（生体に接する側）の構造を示す平面図であり、図１０は本実施の形態における血圧計用カフ１００Ｅの効果を説明するための第１模式図であり、図１１は本実施の形態における血圧計用カフ１００Ｅの効果を説明するための第２模式図である。なお、上記実施の形態１と同一または相当部分については、同一の参照番号を付して詳細な説明は省略し、本実施の形態における特徴的構造のみを以下説明する。
【００２８】
本実施の形態における血圧計用カフ１００Ｅにおける特徴的構造としては、図９に示すように、腕帯１０１の内布１０１ａの布目（図中矢印Ｂ１）が、血圧計用カフ１００Ｅの装着時における血圧計用カフ１００Ｅの回転する方向に対して対抗する方向に配列されている点にある。具体的には、図１０に示すように、血圧計用カフ１００Ｅの装着時に、腕帯１０１の他方端１０４を矢印Ａ１方向に絞り込んだ場合、血圧計用カフ１００Ｅは全体として矢印Ａ２方向に回転しようとする。このとき内布１０１ａの布目が、血圧計用カフ１００Ｅの回転方向（Ａ２）に対抗する方向（Ｂ１）に配列されている。なお、内布１０１ａの布目方向がＢ１方向であるとは、図１１に示すように、基布１０１ｃに対して、起毛１０１ｄの先端部が矢印Ｂ１の上流側に向かっている場合のことを意味するものとする。
【００２９】
（作用・効果）
以上、本実施の形態における血圧計用カフ１００Ｅによれば、腕帯１０１の内布１０１ａの布目が、血圧計用カフ１００Ｅの装着時における血圧計用カフ１００Ｅの回転する方向に対して対抗する方向に配列することにより、血圧計用カフ１００Ｅの装着時に、内布１０１ａの起毛１０１ｄの先端部が生体に当接することから、血圧計用カフ１００Ｅの回転する方向に対して生体との摩擦力が大きくなり、血圧計用カフ１００Ｅの回転方向への滑りが阻止され、血圧計用カフ１００Ｅの回転を防止することが可能になる。
【００３０】
なお、上記各実施の形態においては、いわゆるリングタイプの上腕測定式の血圧計用カフに本発明を適用した場合について説明しているが、上腕の周囲に沿うカーラを内蔵した血圧計用カフや、手首測定式の血圧計用カフに適用した場合においても同様の作用効果を得ることが可能である。
【００３１】
したがって、今回開示した上記実施の形態はすべての点で例示であって、限定的な解釈の根拠となるものではない。したがって、本発明の技術的範囲は、上記した各実施の形態のみによって解釈されるのではなく、特許請求の範囲の記載に基づいて画定される。また、特許請求の範囲と均等の意味および範囲内でのすべての変更が含まれる。
【図面の簡単な説明】
【００３２】
【図１】実施の形態１における血圧計用カフ１００Ａの内側（生体に接する側）の構造を示す平面図である。
【図２】図１中ＩＩ−ＩＩ線矢視断面図である。
【図３】実施の形態２における血圧計用カフ１００Ｂの内側（生体に接する側）の構造を示す平面図である。
【図４】図３中ＩＶ線矢視断面図である。
【図５】実施の形態３における血圧計用カフ１００Ｃの内側（生体に接する側）の構造を示す平面図である。
【図６】図５中ＶＩ線矢視断面図である。
【図７】実施の形態３における突起状部材２０３の拡大断面図である。
【図８】実施の形態４における血圧計用カフ１００Ｄの内側（生体に接する側）の構造を示す平面図である。
【図９】実施の形態５における血圧計用カフ１００Ｅの内側（生体に接する側）の構造を示す平面図である。
【図１０】実施の形態５における血圧計用カフ１００Ｅの効果を説明するための第１模式図である。
【図１１】実施の形態５における血圧計用カフ１００Ｅの効果を説明するための第２模式図である。
【図１２】従来技術における血圧計用カフ１００の外観を示す斜視図である。
【図１３】血圧計用カフ１００の上腕への装着手順を示す第１の図である。
【図１４】血圧計用カフ１００の上腕への装着手順を示す第２の図である。
【図１５】血圧計用カフ１００の上腕への装着手順を示す第３の図である。
【符号の説明】
【００３３】
１００Ａ，１００Ｂ，１００Ｃ，１００Ｄ，１００Ｅ  血圧計用カフ、１０１  腕帯、１０１ａ  内布、１０１ｂ  外布、１０１ｃ  基布、１０１ｄ  起毛、１０２  エアーチューブ、１０３  リング、１０４  他方端側、１０５  面ファスナ、１０６  圧迫用流体袋、２０１  凸状部材、２０２  滑止めシート、２０３，２０４  突起状部材。
【図１】
2006130331.tif 000003
【図２】
2006130331.tif 000004
【図３】
2006130331.tif 000005
【図４】
2006130331.tif 000006
【図５】
2006130331.tif 000007
【図６】
2006130331.tif 000008
【図７】
2006130331.tif 000009
【図８】
2006130331.tif 000010
【図９】
2006130331.tif 000011
【図１０】
2006130331.tif 000012
【図１１】
2006130331.tif 000013
【図１２】
2006130331.tif 000014
【図１３】
2006130331.tif 000015
【図１４】
2006130331.tif 000016
【図１５】
2006130331.tif 000017